(57)【要約】  グラビア印刷、転写印刷、熱昇華型印刷、シルクスクリーン印刷及びプリンタを用いた実写プリントなどの印刷工法を用いて、モザイク文様、カーペット柄、写真、グラフィック形態の多様な文様を印刷し、このように印刷されたシートタイプの床材を製造した後、これを所望の位置に便利に施工することができるカスタムメイドのモザイクフローリング及びその施工方法を提供する。
2011505511.tif 000002
【特許請求の範囲】
【請求項１】
印刷パターンを有する第１床材と、該第１床材が同じ平面に挿入される第２床材とから構成され、第１床材と第２床材とは接着剤継ぎ目で連結されることを特徴とするカスタムメイドのモザイクフローリング。
【請求項２】
第１床材が第２床材内に部分的に挿入されることを特徴とする請求項１に記載のカスタムメイドのモザイクフローリング。
【請求項３】
第１床材が２枚の第２床材の間に挿入されることを特徴とする請求項１に記載のカスタムメイドのモザイクフローリング。
【請求項４】
第１床材及び第２床材の材質及び厚さが同じであることを特徴とする請求項１に記載のカスタムメイドのモザイクフローリング。
【請求項５】
印刷パターンがモザイク文様、カーペット柄、写真、グラフィック形態の中から選ばれる１種以上であることを特徴とする請求項１に記載のカスタムメイドのモザイクフローリング。
【請求項６】
印刷パターンが連続的であり、所望のサイズに連続的に印刷することを特徴とする請求項５に記載のカスタムメイドのモザイクフローリング。
【請求項７】
接着継ぎ目は、溶剤系接着剤またはホットメルト系接着剤でなされることを特徴とする請求項１に記載のカスタムメイドのモザイクフローリング。
【請求項８】
所望のパターンを印刷して第１床材を製造する段階と、
第１床材を所望のサイズに裁断する段階と、
第１床材の裁断サイズと対応するように第２床材を裁断する段階と、
第１床材を第２床材に挿入して接着する段階と、を含むカスタムメイドのモザイクフローリングの施工方法。
【請求項９】
印刷方法は、グラビア印刷、オフセット印刷、転写印刷、熱昇華型印刷、シルクスクリーン印刷、プリンタを用いた実写印刷の中から選ばれる１種以上であることを特徴とする請求項８に記載のカスタムメイドのモザイクフローリングの施工方法。
【請求項１０】
実写印刷がインクジェット印刷、ＵＶ印刷、転写印刷の中から選ばれる１種以上であることを特徴とする請求項９に記載のカスタムメイドのモザイクフローリングの施工方法。
【発明の詳細な説明】
【技術分野】
【０００１】
本発明はカスタムメイドのモザイクフローリング及びその施工方法に関し、さらに詳しくは大型実写プリント、グラビア、転写、シルクスクリーンなどの印刷技法を用いて連続工程で印刷可能になり、多様なパターン及び形状を消費者の希望通りにプリントすることができ、このように生産された製品を施工する際に、既存の方式のように多ピースのパターンを繋ぎ合わせる必要がないため、継ぎ目の露出を最小限にして、便利な施工方法で多様な室内インテリアを演出できるカスタムメイドのモザイクフローリング及びその施工方法に関する。
【背景技術】
【０００２】
既存のモザイクフローリングはシート型の床材を色相別に用意し、所望のパターンや形状に裁断し、それからそれぞれの裁断物を所望の位置に合わせて施工した。
【０００３】
このように従来は特定なモザイク施工のためにそれぞれの色相及びパターンの床材を部分的に裁断し、それぞれの裁断物を嵌め合わせて施工する方法を使用した。
【０００４】
このようなモザイクフローリングの施工方法は施行に長時間かかり、専門的な施工技術が求められ、施工後継ぎ目の露出が多くなって、継ぎ目における汚れ及びそのメンテナンスが難しいという問題点を抱えている。
【０００５】
特許文献１には畳の補修方法が開示されているが、シート型床材の施工方法に関する本発明との関連は少ない。
【０００６】
特許文献２にはフロアマット付着シートが開示されているが、印刷面を有する付着シートをマットに付着するものであって、本発明に係るシート型床材の施工方法とは相異なる。
【０００７】
特許文献３にはタイル本体と剥離可能なように本体に固定される保護フィルムで構成されるタイル床材が開示されているが、シート型床材の施工方法に関する本発明との関連は少ない。
【０００８】
特許文献４にはデザインタイル及びその施工方法が開示されているが、このタイルの場合色々なデザイン片を組み合わせるので、前述したような問題点を有している。
【先行技術文献】
【特許文献】
【０００９】
【特許文献１】特開２０００−２７４１４号公報
【特許文献２】特開２００４−１８３４５３号公報
【特許文献３】特開２００５−１７９９７０号公報
【特許文献４】特開平０９−１２５６６５号公報
【発明の概要】
【発明が解決しようとする課題】
【００１０】
本発明の目的は裁断及び継ぎ目の接着作業を最小化することができ、便利な施工方法によって施工時間を短縮することができ、継ぎ目の数の減少によって潜在的な不良要素を減らすことができるカスタムメイドのモザイクフローリング及びその施工方法を提供するところにある。
【００１１】
本発明の他の目的は、室内インテリアをデザインする際に、消費者の好みによって所望のパターン並びにサイズ及び位置に便利に施工するためのカスタムメイドのモザイクフローリング及びその施工方法を提供するところにある。
【課題を解決するための手段】
【００１２】
前述した目的を達成するための本発明は、印刷パターンを有する第１床材と、該第１床材が同じ平面に挿入される第２床材と、から構成され、第１床材と第２床材とは接着した継ぎ目で連結されることを特徴とするカスタムメイドのモザイクフローリングを提供する。
【００１３】
本発明の一実施形態に係る床材は、第１床材が第２床材内に部分的に挿入されることを特徴とする。本実施例において、第１床材の形態は円形、楕円形、多角形（三角形、四角形など）などのような整った形だけではなく不規則な形も可能であり、また２枚以上の複数の第１床材を多様に組み合わせて使用することもできる。
【００１４】
本発明の他の実施形態による床材は、第１床材が２枚の第２床材の間に挿入されることを特徴とする。
【００１５】
本発明において床材間の相溶性(compatibility)などを考慮して、第１床材と第２床材との材質及び厚さは同じものが望ましい。
【００１６】
本発明において印刷パターンは、モザイク文様、カーペット柄、写真、グラフィック形態の中から選ばれる１種以上であり、パターンが切れずに連続的であり、所望のサイズに連続的に印刷されることを特徴とする。
本発明において接着した継ぎ目は、溶剤系接着剤またはホットメルト系接着剤でなされうる。
【００１７】
また、本発明は、所望のパターンを印刷して第１床材を製造する段階と、第１床材を所望のサイズに裁断する段階と、第１床材の裁断サイズと対応するように第２床材を裁断する段階と、第１床材を第２床材に挿入し接着する段階と、を含むカスタムメイドのモザイクフローリングの施工方法を提供する。
【００１８】
本発明において使用される印刷方法は、グラビア印刷、オフセット印刷、転写印刷、熱昇華型印刷、シルクスクリーン印刷、プリンタを用いた実写印刷の中から選ばれる１種以上であり、特に実写印刷が望ましく、実写印刷はインクジェット印刷、ＵＶ印刷、転写印刷の中から選ばれる１種以上である。
【００１９】
本発明はシート型床材の部分的なモザイク施工方法に関し、発泡または非発泡物のシートに水性または油性インクジェット、ＵＶ印刷、または転写印刷などの大型実写プリンタを用いるか、グラビア、オフセット、転写、熱昇華型、シルクスクリーンなどの印刷技法で、特定単位の写真、絵またはパターンなどを印刷して既存のシート型床材のような構造で床材を製造した後、既存のシート型と連結する施工において実写プリントされた特定の形態の床材を既存のシート床材内に代替して施工する方法を提供する。
【００２０】
本発明によって裁断及び継ぎ目の接着作業を最小化することができ、便利な施工方法で施工時間を短縮することができ、継ぎ目の数の減少によって潜在的な不良要素を減らすことができる。また、室内インテリアをデザインする際に消費者好みによって所望のパターン、サイズ及び位置に便利に施工することができる。
【発明の効果】
【００２１】
以上述べたように本発明によれば、既存の常に一定の床材の外観及び限られた施工方法から脱却して、消費者自身が直接所望する床材パターン及び形状を選択し、所望の位置に選ばれたインテリア資材を用いることによって、消費者の好みによる床インテリア演出が可能になる。
【００２２】
このような自由自在な床材による演出のためには簡便な施工方法と安定した施工品質が必要であるが、本発明は継ぎ目の数を最小化しつつ、既存のシート施工方法の継ぎ目の処理技術である継ぎ目溶着（化学的接着）及びホットメルト接着剤を使用して、継ぎ目の美外観及び長期的な物性を確保することができ、簡便な施工性を期することができる。
【図面の簡単な説明】
【００２３】
【図１】本発明の一実施形態に係る床材の斜視図である。
【図２】本発明の他の実施形態に係る床材の斜視図である。
【発明を実施するための形態】
【００２４】
以下、添付した図面に基づき本発明を詳述する。
【００２５】
図１及び図２は継ぎ目の数を最小化したシート床材のモザイク施工構造を示した図である。
【００２６】
図１は既に施工された床材の一部を特定形態に除去した後、所望のパターンが印刷された床材を同じ形態に裁断して代替施工する方法を使用した施工構造であって、主にリモデリングの際に行われる。
【００２７】
具体的に、既に施工されたシート型床材である第２床材１１にカスタムメイドの印刷物シートである第１床材１２が部分的に挿入された構造であり、継ぎ目は溶剤系接着継ぎ目２０またはホットメルト系接着継ぎ目２１で処理されうる。
【００２８】
図２は初めからカスタムメイドの床材を一般的な床材に繋ぎ合わせる施工方法を使用した施工構造であって、主に全床材を新たに施工する時に使われる。
【００２９】
具体的には、一般のシート型床材である第２床材１１の間に、カスタムメイドの印刷物シートである第１床材１２が挿入された構造であり、継ぎ目は溶剤系接着継ぎ目２０またはホットメルト系接着継ぎ目２１で処理される。
【００３０】
本発明に係るカスタムメイドのモザイクフローリングの施工方法を具体的に説明すると次の通りである。
【００３１】
まず、カスタムメイドの印刷物シートである第１床材１２を製造する。床材はポリ塩化ビニル、オレフィン素材などのプラスチックシートで構成される。
【００３２】
印刷方法としては、ＵＶ顔料で印刷しこれを紫外線硬化するＵＶ印刷、水性または油性顔料をインクジェットプリンターで噴射して乾燥するインクジェット印刷、熱転写フィルムに水性または油性顔料を印刷した後に顔料を熱または圧力を用いて被着物に転写するフィルム転写方法など、大型実写プリントを用いて多様な外観を創出したり、グラビア、転写、オフセット、熱昇華型、シルクスクリーンなどの印刷技法を用いたりすることができ、前述した印刷方法により実写またはカスタムメイドのパターンが印刷されたシート床材を製造することができる。
【００３３】
次いで、図１のように第１床材１２を、同じ厚さの既に施工されたシート型床材である第２床材１１の所望の位置に載置した後、所望のサイズに同時に裁断し、裁断された第２床材１１を除去した後、その中に特定のパターンが印刷された第１床材１２を挿入する。
【００３４】
新たに床材を施工する場合、図２のように第１床材１２を大きく裁断した後、該床材全体をこれに合わせて裁断された２枚の第２床材１１の間に繋ぎ合わせる。
【００３５】
次に、このようにモザイク施工された床材の継ぎ目を互いに接着固定する。継ぎ目の接着固定は歩行などの外力によって分離されることを防止するために必要である。
【００３６】
継ぎ目の処理において、化学反応結合を用いた接着施工及びホットメルトなどの化学的かつ物理的接着を用いた施工方法を使用することができる。
【００３７】
具体的には、アクリルなどの有機または無機バインダーが含有された溶剤系接着剤を専用キットで噴射し、相互接着させることによって継ぎ目を固定することができ、他には床材と同じまたは相溶性に優れた材質である、ホットメルトタイプの溶接棒（Ｗｅｌｄｉｎｇ  Ｒｏｄ）に熱を加えて、継ぎ目の隙間に挿入して相互に接着させる方法などを使用することができる。
【実施例】
【００３８】
第１床材１２と第２床材１１とは塩化ビニル樹脂及びフタレート系可塑剤を含み、その他の添加剤及び充填物で構成され、１．８ｍｍないし２．５ｍｍ厚さのシートタイプに作製された。この際、第１床材１２と第２床材１１との厚さ差を最小化して連結部の高低差が発生しないようにした。このように作製された第１床材１２を、図１に示すように、第２床材１１の所望の位置に載置した後、所望のサイズに同時に裁断し、裁断された第２床材１１を除去した後、その中に実写プリントによって特定パターンが印刷された第１床材１２を挿入して施工した。継ぎ目部の処理は溶剤系接着剤２０を使って、第１床材１２と第２床材１１とが互いに溶けて付着する溶融接着の方法を採択した。
【産業上の利用可能性】
【００３９】
本発明は消費者の好みによって所望のパターン、サイズ及び位置に簡便に施工することができるカスタムメイドのモザイクフローリング及びその施工方法に適用可能である。
【符号の説明】
【００４０】
１１：  第２床材
１２：  第１床材
２０：  溶剤系接着継ぎ目
２１：  ホットメルト系接着継ぎ目
【図１】
2011505511.tif 000003
【図２】
2011505511.tif 000004
【国際調査報告】
2011505511.tif 000005
2011505511.tif 000006